(57)【要約】【課題】既に登録されている紙サイズの閾値又は登録しようとする新規紙サイズの閾値を変更し、ユーザの所望する紙サイズの登録を行う給紙装置又はそれを備えた画像形成装置を提供する。【解決手段】予め、転写紙００７の紙サイズ及び紙サイズの閾値を記憶する記憶手段００５と、載積された転写紙００７の紙サイズを測定するとともに、閾値を基に該紙サイズに対する予め決められた閾値の範囲を出力するサイズ検出手段００２と、新規紙サイズの登録の指示を受けて、新規紙サイズ及びその閾値の範囲と、既に登録されている紙サイズ及びその閾値の範囲とを比較し、一方の紙サイズが他方の紙サイズの閾値の範囲に含まれる場合、該閾値の範囲を変更し、その後に新規紙サイズ及びその閾値を記憶手段に記憶させることにより登録を行う登録制御手段００４とを備える。【選択図】図１
2008137790.tif 000002
【特許請求の範囲】
【請求項１】
転写紙を載積する載積手段と、
予め、転写紙の給紙方向の長さ及び給紙方向と直交する方向の長さで表される紙サイズ、及び給紙時は許容範囲として使用され、登録時には新規紙サイズの登録を不可能にする範囲として使用される前記紙サイズの閾値を記憶する記憶手段と、
載積された前記転写紙の前記紙サイズを測定するとともに、前記閾値を基に該紙サイズに対する予め決められた閾値の範囲を出力するサイズ検出手段と、
新規紙サイズの登録の指示を受けて、登録しようとする新規紙サイズ及びその閾値の範囲と、既に登録されている前記紙サイズ及びその閾値の範囲とを比較し、一方の前記紙サイズが他方の前記紙サイズの閾値の範囲に含まれる場合、該閾値の範囲を変更し、
その後に前記新規紙サイズ及びその閾値を前記記憶手段に記憶させることにより登録を行う登録制御手段と
を備え、登録された前記紙サイズの前記転写紙を給紙可能とする
ことを特徴とする給紙装置。
【請求項２】
前記登録制御手段は、
前記新規紙サイズが前記既に登録されている前記紙サイズの前記閾値の範囲に含まれる場合、該閾値の範囲を変更することで、前記新規紙サイズを該閾値の範囲外にし、前記新規紙サイズ及び前記既に登録されている前記紙サイズの前記変更した閾値を前記記憶手段に記憶させて登録し、
前記既に登録されている前記紙サイズが前記新規紙サイズの前記閾値に含まれる場合、該閾値の範囲を変更することで、前記既に登録されている前記紙サイズを該閾値の範囲外にし、前記新規紙サイズ及び前記新規紙サイズの前記変更した閾値を前記記憶手段に記憶させて登録する
ことを特徴とする請求項１に記載の給紙装置。
【請求項３】
前記登録制御手段は、前記閾値をユーザにより入力された閾値に変更することを特徴とする請求項１又は請求項２に記載の給紙装置。
【請求項４】
前記登録制御手段は、
前記新規紙サイズ及びその閾値の範囲と、既に登録されている前記紙サイズ及びその閾値の範囲を参照し、一方の前記紙サイズが他方の前記紙サイズの閾値の範囲に含まれる場合、ユーザの入力を受けて既に登録されている前記紙サイズを前記記憶手段から削除し登録を抹消する
ことを特徴とする請求項１乃至３のいずれか一つに記載の給紙装置。
【請求項５】
転写紙を載積する載積手段と、
予め、転写紙の給紙方向の長さ及び給紙方向と直交する方向の長さで表される紙サイズ、及び給紙時は許容範囲として使用され、登録時には新規紙サイズの登録を不可能にする範囲として使用される前記紙サイズの閾値を記憶する記憶手段と、
載積された前記転写紙の前記紙サイズを測定するとともに、前記閾値を基に該紙サイズに対する予め決められた閾値の範囲を出力するサイズ検出手段と、
新規紙サイズの登録の指示を受けて、登録しようとする新規紙サイズ及びその閾値の範囲と、既に登録されている前記紙サイズ及びその閾値の範囲とを比較し、一方の前記紙サイズが他方の前記紙サイズの閾値の範囲に含まれる場合、該閾値の範囲を変更し、
その後に前記新規紙サイズ及びその閾値を前記記憶手段に記憶させることにより登録を行う登録制御手段と、
登録された前記紙サイズの前記転写紙を給紙する給紙手段と、
登録された前記紙サイズに基づき給紙された前記転写紙に画像を形成する画像形成手段と
を備えることを特徴とする画像形成装置。
【発明の詳細な説明】
【技術分野】
【０００１】
本発明は、紙サイズを自動的に識別可能なトレイを備えた給紙装置及び画像形成装置に関し、特に、紙サイズが、Ａ３，Ａ４，Ｂ４，Ｂ５等の定形サイズとは異なる非定形サイズでも登録でき、登録後は自動的に登録した紙サイズを判断することができる給紙装置及びそれを備えた画像形成装置に関する。
【背景技術】
【０００２】
複写機、ファクシミリ、プリンタなどの画像形成装置においては、ユーザの使用目的や原稿サイズに応じて転写紙などの記録媒体である用紙のサイズが選択できるようになっている。このような場合、紙サイズごとに専用の給紙トレイを用意すればよいが、ユーザの負担を軽くするため、１つの給紙トレイで各種の用紙をセットできるもの（ユニバーサルトレイ）が使用されている。そして、用紙はトレイ上に載積された用紙の給紙方向と直交する用紙端面に当接し、用紙の給紙方向に直交する方向の用紙位置を整合する幅規制部材と、用紙の給紙方向の端面に当接し、用紙の給紙方向の用紙位置を整合する長さ規制部材とを設け、これら幅規制部材と長さ規制部材とをスライドさせて、用紙に当接させることにより用紙の載積位置を位置決めしている。
【０００３】
このようなユニバーサルトレイでは、用紙の紙サイズを自動的に検出することができる。また、原稿自動送り装置（ＡＤＦ）があって、ここで紙サイズも自動的に検出することができる。ただし、このユニバーサルトレイやＡＤＦでは、通常は、Ａ３，Ａ４，Ｂ４，Ｂ５といった定形サイズの用紙を対象としていた。
【０００４】
また、ユニバーサルトレイは複数枚の用紙が一度にトレイ内にセットされるため、ある範囲の許容差（閾値）を持って紙サイズが記憶されている必要がある。この閾値とは、たとえばＡ４の紙サイズの閾値を考えた場合、給紙時には、その閾値は許容値として働き、トレイ上の転写紙の幅及び長さがその閾値に含まれる場合にはＡ４サイズの紙と認識されて給紙される。また、登録時には、その閾値に含まれる転写紙を新規に登録しようとしてもＡ４サイズの紙と判断されるため、Ａ４サイズが既に登録されていることから、その新規登録しようとする転写紙の紙サイズの登録を不許可とする働きをする。
【０００５】
ここで、用紙の定形サイズには、代表的なものとしてＡＢ系、インチ系がある。従来は、様々なユーザの要望に応えるため、サイズ切り替えの設定を複数行っている。
【０００６】
サイズ切り替えの設定とは、たとえば、（１）紙サイズの検出をフルサイズにするか、ＡＢ系若しくはＡ系のみとするか、又はインチ系とするかの設定。（２）フルサイズの設定をした場合、Ａ４Ｒとインチ系の８．５×１１Ｒは、サイズの差が微差で、識別できないため、どちらを検出するかの設定。（３）同様に、Ａ５Ｒとインチ系の５．５×８．５Ｒの場合、どちらを検出するかの設定。（４）Ｆ４サイズを検出するか否か。検出するのであれば、Ｆ４のサイズは８ｉｎｃｈ×１３ｉｎｃｈか、８．２５ｉｎｃｈ×１３ｉｎｃｈか、８．５ｉｎｃｈ×１３ｉｎｃｈかの設定。（５）台湾で使用される１６Ｋ、１６ＫＲ、６Ｋは検出するのか否かの設定。この紙サイズを検出した場合、８．５×１１Ｒは検出できなくなる。（６）Ａ６Ｒ，Ｂ６Ｒ、葉書の３つについては、サイズの差を識別できないので、いずれか１つを設定。など、複数の設定をする必要がある。
【０００７】
さらに、近年増加しているＰＯＤ（Ｐｒｉｎｔ  Ｏｎ  Ｄｅｍａｎｄ）の市場においては、ユーザが切断した紙などのように不定形紙を使用する場合が増えてきている。そして、通常、画像形成装置では紙サイズが判別できない場合には通紙を行わない構成であるため、このような不定形紙の場合ユーザが、このトレイは非定形サイズ専用とすること、その寸法はいくつであるといったことを入力する必要があった。したがって、サイズの異なる非定形紙やワイド紙を使用する場合は、その都度入力し直す必要があった。
【０００８】
そこで従来、あらかじめ登録されている紙サイズ以外の紙サイズを登録する技術として、紙サイズを測定し、新しく登録される紙サイズが予め登録されている紙サイズの閾値以上の場合に紙サイズの登録を行う装置（例えば、特許文献１参照。）が提案されている。
【０００９】
【特許文献１】特開２００４−３５２４４０号公報
【発明の開示】
【発明が解決しようとする課題】
【００１０】
しかし、特許文献１に記載の画像形成装置によると、登録しようとしている新規紙サイズが既に登録されている紙サイズの閾値に含まれてしまう場合、そのような新規紙サイズの用紙を登録することができず、既に登録されている紙サイズと類似した紙サイズの登録を行うことは困難であった。
【００１１】
この発明は、このような事情に鑑みてなされたもので、既に登録されている紙サイズの閾値又は登録しようとする新規紙サイズの閾値を変更し、ユーザの所望する紙サイズの登録を行う給紙装置又はそれを備えた画像形成装置を提供することを目的としている。
【課題を解決するための手段】
【００１２】
上記目的を達成するために、請求項１に記載の給紙装置は、転写紙を載積する載積手段と、予め、転写紙の給紙方向の長さ及び給紙方向と直交する方向の長さで表される紙サイズ、及び給紙時は許容範囲として使用され、登録時には新規紙サイズの登録を不可能にする範囲として使用される前記紙サイズの閾値を記憶する記憶手段と、載積された前記転写紙の前記紙サイズを測定するとともに、前記閾値を基に該紙サイズに対する予め決められた閾値の範囲を出力するサイズ検出手段と、新規紙サイズの登録の指示を受けて、登録しようとする新規紙サイズ及びその閾値の範囲と、既に登録されている前記紙サイズ及びその閾値の範囲とを比較し、一方の前記紙サイズが他方の前記紙サイズの閾値の範囲に含まれる場合、該閾値の範囲を変更し、その後に前記新規紙サイズ及びその閾値を前記記憶手段に記憶させることにより登録を行う登録制御手段とを備え、登録された前記紙サイズの前記転写紙を給紙可能とすることを特徴とするものである。
【００１３】
請求項２に記載の発明は、請求項１に記載の給紙装置であって、前記登録制御手段は、前記新規紙サイズが前記既に登録されている前記紙サイズの前記閾値の範囲に含まれる場合、該閾値の範囲を変更することで、前記新規紙サイズを該閾値の範囲外にし、前記新規紙サイズ及び前記既に登録されている前記紙サイズの前記変更した閾値を前記記憶手段に記憶させて登録し、前記既に登録されている前記紙サイズが前記新規紙サイズの前記閾値に含まれる場合、該閾値の範囲を変更することで、前記既に登録されている前記紙サイズを該閾値の範囲外にし、前記新規紙サイズ及び前記新規紙サイズの前記変更した閾値を前記記憶手段に記憶させて登録することを特徴とするものである。
【００１４】
請求項３に記載の発明は、請求項１又は請求項２に記載の給紙装置であって、前記登録制御手段は、前記閾値をユーザにより入力された閾値に変更することを特徴とするものである。
【００１５】
請求項４に記載の発明は、請求項１乃至３のいずれか一つに記載の給紙装置であって、前記登録制御手段は、前記新規紙サイズ及びその閾値の範囲と、既に登録されている前記紙サイズ及びその閾値の範囲を参照し、一方の前記紙サイズが他方の前記紙サイズの閾値の範囲に含まれる場合、ユーザの入力を受けて既に登録されている前記紙サイズを前記記憶手段から削除し登録を抹消することを特徴とするものである。
【００１６】
請求項５に記載の画像形成装置は、転写紙を載積する載積手段と、予め、転写紙の給紙方向の長さ及び給紙方向と直交する方向の長さで表される紙サイズ、及び給紙時は許容範囲として使用され、登録時には新規紙サイズの登録を不可能にする範囲として使用される前記紙サイズの閾値を記憶する記憶手段と、載積された前記転写紙の前記紙サイズを測定するとともに、前記閾値を基に該紙サイズに対する予め決められた閾値の範囲を出力するサイズ検出手段と、新規紙サイズの登録の指示を受けて、登録しようとする新規紙サイズ及びその閾値の範囲と、既に登録されている前記紙サイズ及びその閾値の範囲とを比較し、一方の前記紙サイズが他方の前記紙サイズの閾値の範囲に含まれる場合、該閾値の範囲を変更し、その後に前記新規紙サイズ及びその閾値を前記記憶手段に記憶させることにより登録を行う登録制御手段と、登録された前記紙サイズの前記転写紙を給紙する給紙手段と、登録された前記紙サイズに基づき給紙された前記転写紙に画像を形成する画像形成手段とを備えることを特徴とするものである。
【発明の効果】
【００１７】
請求項１に記載の給紙装置及び請求項５に記載の画像形成装置によると、一方の紙サイズが他の紙サイズの閾値に重なる場合でも新たに紙サイズを登録することが可能となる。この給紙装置は、給紙時には許容範囲として閾値を使用し、登録時には登録不許可の範囲として閾値を使用するものである。従って、類似する定形紙及び不定形紙でも紙サイズの登録が行えることにより、新規紙サイズの登録後の給紙時において、類似した定形紙及び不定形紙といった転写紙の紙サイズの検出を確実に行うことができる。
【００１８】
請求項２に記載の給紙装置によると、既に登録されている紙サイズの閾値及び新規紙サイズの閾値のどちらも変更可能なため、確実にユーザの所望する紙サイズの登録を行うことができる。
【００１９】
請求項３に記載の給紙装置によると、ユーザが閾値の入力を行うためユーザの必要に合わせて閾値の登録を行うことができる。これにより、登録後の給紙時において、ユーザに適した紙サイズの検出を行うことができる。
【００２０】
請求項４に記載の給紙装置によると、不要な紙サイズの登録を抹消することができるため、登録抹消後の給紙時における紙サイズの誤った検出を低減することができる。
【発明を実施するための最良の形態】
【００２１】
〔第１の実施形態〕
以下、この発明の第１の実施形態に係る給紙装置について図１、図２、及び図３を参照して説明する。図１は本実施形態に係る給紙装置における機能を表すブロック図である。図１に示すサイズ検出手段００２、実行制御手段００３、及び登録制御手段００４はＣＰＵ及びその動作を規定したプログラムによって構成されている。また、画像形成部００９は画像形成手段（不図示）として機能し、本実施形態に係る画像給紙装置とともに１つの画像形成装置を構成するものである。ここで、図１における実線の矢印はデータのやり取りを表し、点線の矢印は物理的な作用関係を表す。また、本給紙装置において実際は、データのやり取りは実行制御手段００３を通じて行われるが、以下では説明の都合上、各手段が直接データのやり取りを行っているように説明する場合がある。図２は本発明に係る給紙装置の模式的な平面図である。図３は紙サイズの閾値の変更を説明するための図である。ここで、図１、図２、及び図３において符号が同一のものは同じ機能を示す。
【００２２】
本発明における記憶手段００５には、出荷時にあらかじめ定形紙の転写紙００７の給紙方向の長さ（以下、単に「長さ」という。）及び給紙方向と直交する方向（以下、「幅方向」という。）の長さ（以下、「幅」という。）が記憶されており、その転写紙００７の幅及び長さで表される紙サイズが登録されている。ここで、この定形紙の紙サイズとはＡＢ系もしくはインチ系で登録されているとする。また、出荷時にあらかじめ、閾値が＋１０ｍｍと記憶されている。ここで、閾値が＋１０ｍｍとは、紙サイズの幅方向の両側及び給紙方向両側に０ｍｍ〜１０ｍｍを加えた領域が紙サイズの閾値の範囲となることを示す（以下、閾値、あるいは閾値の範囲を＋○ｍｍという表現をとる。）。これは、図３に示す紙サイズ３１０（幅ａ１、長さａ２）の場合の検出を例にとると、＋１０ｍｍの閾値では、紙サイズ３１０の閾値の範囲３１１は幅方向の両側及び給紙方向の両側にそれぞれ０ｍｍ〜１０ｍｍを加えた領域となり、給紙時には閾値の範囲３１１に含まれる転写紙００７が紙サイズ３１０として検出される。ここで、本実施形態では、紙サイズの検出精度を上げるとともに、それぞれの定形紙がそれぞれの紙サイズの閾値で重ならないように最初の閾値を＋１０ｍｍとしているが、これは、紙サイズの検出精度や定形紙のサイズ差に基づいて他の値を採ってもよい。さらに、閾値の範囲を０ｍｍ〜とした理由は、閾値が＋０ｍｍの場合を含めるためである。閾値＋０ｍｍとは、紙サイズの幅方向の両側及び給紙方向両側に０ｍｍを加えた領域が紙サイズの閾値の範囲、つまり、閾値を持たないことになり、その紙サイズの検出は行うことができなくなる。したがって、ある紙サイズの登録は残したいが該紙サイズを使用したくない場合には閾値を＋０ｍｍとすることが好ましい。
【００２３】
載積手段００１は、ユニバーサルトレイであって各種の紙サイズを載積可能であり、図２に示すように、幅規制部材２０１が転写紙００７の幅方向の両端を押さえるように、幅方向に移動可能に２つ配置されている。また、長さ規制部材２０２が転写紙００７の給紙方向の逆側端部を押さえるように、給紙方向に移動可能に配置されている。
【００２４】
幅規制部材２０１及び長さ規制部材２０２はそれぞれ各ボリューム抵抗を摺動して、その摺動位置によって紙サイズを検出するサイズ検出手段００２に接続されている。
【００２５】
サイズ検出手段００２は、幅規制部材２０１が転写紙００７の幅方向の両側端部に当接されることで転写紙００７の幅が測定でき、長さ規制部材２０２を転写紙００７の給紙方向の逆側端部に当接されることで転写紙００７の長さが測定できる。また、＋１０ｍｍの閾値の場合、転写紙００７の閾値の範囲として紙サイズの幅方向の両側及び給紙方向の両側に０ｍｍ〜１０ｍｍを加えたものが出力される。例えば、図３に示す紙サイズ３２０の転写紙００７を使用した場合、幅はｂ１、長さはｂ２、閾値＋１０ｍｍにおける閾値の範囲は幅方向の両側及び給紙方向の両側に０ｍｍ〜１０ｍｍを加えた領域となる。
【００２６】
ここで、本実施形態ではサイズ検出手段００２として、コスト及び必要とされる測定精度の関係から、現在給紙装置で一般的に使用されているボリューム抵抗を用いて転写紙００７の幅や長さの測定を行っているが、これは、デジタイザなどの他の精度の良い測定手段を使用してもよい。また、本実施形態では載積手段００１が１つの場合で説明しているが、これは複数あってもよく、その場合、サイズ検出手段００２はユーザからの入力を受けてトレイの選択を行うことが必要である。
【００２７】
ユーザは、あらかじめ転写紙００７の紙サイズを登録するか否かをユーザインターフェース００８を使用して入力する。ここで、ユーザインターフェース００８は、入力手段及び表示手段で構成されている。以下は、ユーザが紙サイズの登録をすることを選んだ場合で説明する。
【００２８】
次に、ユーザは、載積手段００１に転写紙００７を載せ、図２に示す幅規制部材２０２を載積した転写紙００７の幅方向の両側端部に当接させ、長さ規制部材２０２を載積した転写紙００７の給紙方向の逆側を押さえるように該シート材００９の給紙方向の逆側端部に当接させる。以下、図３に示す紙サイズ３２０（幅ｂ１、長さｂ２）を新規紙サイズとして登録する場合で説明する。
【００２９】
登録制御手段００４は、サイズ検出手段００２から登録しようとする新規紙サイズである測定した転写紙００７の幅や長さをサイズ検出手段００２から受け取る。以下では、転写紙００７の幅及び長さがそれぞれ、ａ１＋６＜ｂ１＜ａ１＋２０、ａ２＋６＜ｂ２＜ａ２＋２０（幅ａ１、長さａ２は紙サイズ３１０のもの）、と測定された、すなわち、新規に登録しようとする転写紙００７の幅、長さともに紙サイズ３１０の閾値の範囲３１１に含まれる紙サイズ３２０を、登録制御手段００４は受け取った場合を例として説明する。
【００３０】
登録制御手段００４は、記憶手段００５を参照し、登録しようとする新規紙サイズ及びその閾値の範囲と、既に登録されている紙サイズ及びその閾値の範囲とを比較し、登録しようとする新規紙サイズが、既に登録されている紙サイズの閾値の範囲に含まれないか、及び、既に登録されている紙サイズが登録しようとする新規紙サイズの閾値の範囲に含まれないか（以下、これを「紙サイズの重複」と呼ぶ。）を判断する。ここでは、閾値＋１０ｍｍである既に登録されている紙サイズ及び閾値の範囲と、閾値＋１０ｍｍである登録しようとする新規紙サイズ及び閾値の範囲を比較する。
【００３１】
登録制御手段００４は、紙サイズの重複がない場合には、測定された転写紙００７の幅及び長さを新規紙サイズとして記憶手段００５に記憶させ登録を行う。
【００３２】
登録制御手段００４は、紙サイズの重複がある場合には、ユーザインターフェース００８に閾値の変更を促す表示を表示させる。ここで、登録しようとする新規紙サイズが、既に登録されている紙サイズの閾値の範囲に含まれている場合には、既に登録されている紙サイズの閾値の変更を、既に登録されている紙サイズが登録しようとする新規紙サイズの閾値の範囲に含まれている場合には、登録しようとする新規紙サイズの閾値の変更を促す表示をユーザインターフェース００８に表示させる。ここで、上記例では図３に示すように紙サイズ３１０の閾値の範囲３１１（閾値＋１０ｍｍ）の中に紙サイズ３２０（幅ｂ１、長さｂ２）が重なってしまうので、この場合、登録手段００４は、紙サイズ３１０の閾値の変更を促す表示をユーザインターフェース００８に表示させる。
【００３３】
登録制御手段００４は、ユーザからの閾値の入力を受けて閾値の変更をおこなう。ここで、ユーザは閾値を自由に減らすことができるが、閾値の値を非常に小さくした場合、その紙サイズの検出が困難になるため、閾値を変更する場合には、「紙サイズ＋１ｍｍ」より大きく、現在の「紙サイズ＋閾値」より小さくすることが望ましい。例えば、図３の閾値の範囲３１２に示すように転写紙３１０の紙サイズの閾値を＋３ｍｍとする。これにより閾値の範囲３１２に紙サイズ３２０は含まれなくなる。また、ユーザは既に登録されている紙サイズの閾値を変更する場合に、その紙サイズが以後の画像形成に不要な場合には、ユーザインターフェース００８を使用して、閾値を＋０ｍｍにする、もしくは記憶手段００５から削除することにより既に登録されている紙サイズの登録抹消を行うことができる。
【００３４】
登録制御手段００４は、転写紙００７の測定された幅及び長さを新規紙サイズとして登録する。例えば、図３に示すように、幅ｂ１及び長さｂ２の紙サイズ３２０が閾値＋１０ｍｍとともに新たに登録される。つまり、紙サイズ３１０の閾値の範囲は幅でａ１〜（ａ１＋３）、長さでａ２〜（ａ２＋３）、紙サイズ３２０の閾値の範囲は幅でｂ１〜（ｂ１＋３）、長さでｂ２〜（ｂ２＋３）であり、ｂ１＞ａ１＋６、ｂ２＞ａ２＋６であるから、紙サイズの重複は起こらない。
【００３５】
以上のような新規紙サイズの登録を行った後に、給紙時に転写紙００７を載積したときに、サイズ検出手段００２が該転写紙００７を登録された紙サイズの閾値の範囲に含まれると判断された場合には、その紙は登録した紙サイズとして検出される。なお、登録制御手段００４は、登録前に紙サイズの登録された閾値又は変更された閾値が、既登録済の閾値と比較し所定範囲内で近似している場合には、ユーザインターフェース００８にその旨をアラームすることが望ましい。なぜなら、近似している場合には、誤動作し易いからである。なお画像形成装置００９は、特許文献１に示すような技術、あるいは、一般的な技術を採用できるので、ここでは説明を省略する。
【００３６】
実行制御手段００３は、検出された紙サイズを受けて給紙手段００６に給紙の命令をだし、給紙手段００６は、新規紙サイズとして登録された転写紙００７（図３の例では転写紙３２０）を載積手段００１から画像形成部００９に送る。
【００３７】
画像形成部００９は、登録制御手段００４からから受けた紙サイズ（図３の例では幅ｂ１、長さｂ２）を基に、送られてきた転写紙００７に画像形成を行う。
【００３８】
以上の説明では、既に登録されている紙サイズの閾値の範囲に新たに登録する紙サイズが含まれる場合を例に説明したが、新たに登録する紙サイズの閾値の範囲に既に登録されている紙サイズが含まれる場合も同様の閾値の変更及び新規登録を行う。また、以上の説明では、転写紙００７の幅及び長さの両方が閾値の範囲に含まれる場合を例に説明したが、本実施形態に係る給紙装置は転写紙００７の幅又は長さのどちらかが閾値の範囲に含まれる場合でも同様に動作し、その場合には閾値の範囲に含まれた幅か長さのどちらか一方のみの閾値を変更する構成にしてもよい。さらに、閾値の変更は予め登録されている定形紙に対して行うだけでなく、自ら登録した紙サイズに対しても同様に行うことができる。また、登録する新規紙サイズは非定形紙だけでなく、定形紙の登録も行うことができる。例えば、あらかじめ登録されている定形紙がＡＢ系であれば、インチ系の定形紙を登録するような場合である。
【００３９】
次に、図４を参照して本実施形態に係る給紙装置及びそれを備えた画像形成装置による新規紙サイズの登録及び画像形成の動作の流れを説明する。ここで、図４は本実施形態に係る給紙装置及びそれを備えた画像形成装置による新規紙サイズの登録及び画像形成のフローチャートである。このフローチャートでは載積手段００１が複数ある場合とする。
【００４０】
ステップＳ００１：ユーザは新規紙サイズを登録するか、画像形成をするかを選択する。画像形成をする場合にはステップＳ００２へ、登録する場合にはステップＳ００３へ進む。
【００４１】
ステップＳ００２：サイズ検出手段００２は、載積手段００１に載積された転写紙００７がどの紙サイズの閾値の範囲に含まれるかを判断し、紙サイズの検出を行う。
【００４２】
ステップＳ００３：ユーザはどの載積手段００１を使用するかを選択する。
【００４３】
ステップＳ００４：サイズ検出手段００２は、選択された載積手段００１に載積されている転写紙００７の幅及び長さを測定し、登録する新規紙サイズを検出し、さらに、記憶手段００５の閾値＋１０ｍｍを参照し、新規紙サイズの閾値の範囲を出力する。
【００４４】
ステップＳ００５：登録制御手段００４は、新規紙サイズ及びその閾値の範囲と、既に登録されている紙サイズ及びその閾値の範囲とを比較し、紙サイズの重複があるかを判断する。紙サイズの重複があればステップＳ００７に進み、重複がなければステップＳ０１１に進む。
【００４５】
ステップＳ００６：登録制御手段００４は、ユーザインターフェース００８に紙サイズの閾値の修正を行うか否かを表示させ、ユーザは、ユーザインターフェース００８を用いて紙サイズの閾値の修正を行うか否かを選択する。紙サイズの閾値の修正を行わない場合にはステップＳ００７に進み、紙サイズの閾値の修正が選択された場合にはステップＳ００８に進む。
【００４６】
ステップＳ００７：ユーザは重複している紙サイズの登録を抹消するか否かを選択する。抹消しない場合には新規紙サイズの登録をキャンセルしたとみなしステップＳ００１に進み、抹消する場合にはステップＳ０１１に進む。
【００４７】
ステップＳ００８：登録制御手段００４は、新規紙サイズの閾値変更であるか、既に登録されている紙サイズの閾値の変更かを判断し、新規紙サイズの閾値を変更する場合にはＳ００９に進み、既に登録されている紙サイズの閾値を変更する場合にはＳ０１０に進む。
【００４８】
ステップＳ００９：登録制御手段００４は、ユーザの入力を受けて、新規紙サイズの閾値を変更し、記憶手段００５に記憶させる。
【００４９】
ステップＳ０１０：登録制御手段００４は、ユーザの入力を受けて、既に登録されている紙サイズの閾値を変更し、記憶手段００５に記憶させる。
【００５０】
ステップＳ０１１：登録制御手段００４は、新規紙サイズの登録を行う。
【００５１】
ステップＳ０１２：載積されている転写紙００７を、ステップＳ００２で検出した紙サイズの転写紙として画像形成部００９に給紙する。
【００５２】
ステップＳ０１３：画像形成部００９は、紙サイズの情報を受けて、送られてきた転写紙００７に画像形成を行う。
【００５３】
以上のように、本発明に係る給紙装置及びそれを備えた画像形成装置は、新規紙サイズを登録する場合に、紙サイズの重複があればその閾値を変更し紙サイズの重複を解消することで、新規紙サイズの登録を行うことができる。これにより、定形紙、非定形紙の区別なくユーザが所望する紙サイズが登録でき、給紙時に正確な紙サイズの検出が行え、誤った検出を減らすことができ、転写紙の紙サイズの検出の効率を上げることが可能となる。
【図面の簡単な説明】
【００５４】
【図１】本発明に係る給紙装置のブロック図
【図２】本発明に係る給紙装置の模式的な平面図
【図３】紙サイズの閾値の変更を説明するための図
【図４】本発明に係る給紙装置及びそれを備えた画像形成装置による新規紙サイズの登録及び画像形成のフローチャート
【符号の説明】
【００５５】
００１  載積手段
００２  サイズ検出手段
００３  実行制御手段
００４  登録制御手段
００５  記憶手段
００６  給紙手段
００７  転写紙
００８  ユーザインターフェース
００９  画像形成部
【図１】
2008137790.tif 000003
【図２】
2008137790.tif 000004
【図３】
2008137790.tif 000005
【図４】
2008137790.tif 000006